(57)【特許請求の範囲】
【請求項１】
複数の図柄を有するリールテープが設けられるリール本体と、前記リール本体を回転駆動する駆動手段と、前記図柄を前記リールテープの裏側から光を照射する照明手段とを有するリールユニットとを備えた遊技機であって、
前記照明手段は、
少なくとも、複数の発光体が上下に並んで配置されており光を照射する第１光源及び第２光源からなる発光部と、
枠状に形成されるとともに第１側板部及び第２側板部を有する発光ガイド部と、
前記第１光源から照射される光を反射するように前記発光ガイド部に形成され、前記発光部の上方に延出形成された第１反射部材と、
前記第１反射部材の下方であって前記第１反射部材とは所定間隔をあけて形成されており、前記発光ガイド部において前記第１反射部材よりも長く延出形成された第２反射部材と、前記第２反射部材の下方であって前記第２反射部材とは所定間隔をあけて形成されており、前記発光ガイド部において前記第１反射部材よりも長く延出形成された第３反射部材と、
前記第１反射部材と前記第２反射部材との間に前記第１光源が配置される第１照射室と、
前記第２反射部材と前記第３反射部材との間に前記第２光源が配置される第２照射室と、
前記第１照射室の第１側板部及び第２側板部よりも延出形成された第２反射部材で反射された光の一部を前記第１側板部及び前記第２側板部から漏光する第１照射室漏光部と、
前記第２照射室の前記第１側板部及び前記第２側板部よりも延出形成された前記第２反射部材及び前記第３反射部材で反射された光の一部を前記第１側板部及び前記第２側板部から漏光する第２照射室漏光部と、
前記第１光源からの光と、前記第１光源から照射される光のうち前記第２反射部材で反射された光を前記照明手段の上方に向けて漏光する上方漏光部とを備え、
前記第２照射室漏光部よりも前記第１照射室漏光部の方が大きくなるように形成されていることを特徴とする遊技機。
【請求項２】
複数の図柄を有するリールテープが設けられるリール本体と、前記リール本体を回転駆動する駆動手段と、前記図柄を前記リールテープの裏側から光を照射する照明手段とを有するリールユニットとを備えた遊技機であって、
前記リールユニットは、前記駆動手段と接続可能に接続された内リングと、前記リールテープが貼り付けられている外リングと、前記内リング及び前記外リングを接続するスポークとを有し、前記スポークには、前記照明手段から照射された光が通過する光通過部が形成されており、
前記照明手段は、
少なくとも、複数の発光体が上下に並んで配置されており光を照射する第１光源及び第２光源からなる発光部と、
枠状に形成されるとともに第１側板部及び第２側板部を有する発光ガイド部と、
前記第１光源から照射される光を反射するように前記発光ガイド部に形成され、前記発光部の上方に延出形成された第１反射部材と、
前記第１反射部材の下方であって前記第１反射部材とは所定間隔をあけて形成されており、前記発光ガイド部において前記第１反射部材よりも長く延出形成された第２反射部材と、前記第２反射部材の下方であって前記第２反射部材とは所定間隔をあけて形成されており、前記発光ガイド部において前記第１反射部材よりも長く延出形成された第３反射部材と、
前記第１反射部材と前記第２反射部材との間に前記第１光源が配置される第１照射室と、
前記第２反射部材と前記第３反射部材との間に前記第２光源が配置される第２照射室と、
前記第２照射室の前記第１側板部及び前記第２側板部よりも延出形成された前記第２反射部材及び前記第３反射部材で反射された光の一部を前記第１側板部及び前記第２側板部から漏光する第２照射室漏光部と、
前記第１光源からの光と、前記第１光源から照射される光のうち前記第２反射部材で反射された光を前記照明手段の上方に向けて漏光する上方漏光部とを備えたことを特徴とする遊技機。
【発明の詳細な説明】
【技術分野】
【０００１】
本発明は、複数の図柄を回転させるリールユニットを備えた遊技機に関する。
【背景技術】
【０００２】
パチンコ店において遊技者の遊技に供される遊技機が従来から知られている。遊技機としては、遊技球を遊技媒体として用いるパチンコ機や、メダルを遊技媒体として用いるスロットマシン等がある。スロットマシンは、複数の回転リール等を備えており、例えば３枚のメダルを投入した後にスタートレバーを操作すると回転リールが回転駆動を開始する。そして、所定時間経過するか、又は遊技者がストップボタンを押圧操作すると、回転している回転リールが停止され、その時の図柄（停止図柄）が表示される。スロットマシンでは、所定の停止図柄の組み合わせが遊技者によるメダルの掛け枚数によって予め設定された有効ライン上に停止すると、遊技者にとって有利な状態へ移行する大当り抽選に当選したことになる。
【０００３】
スロットマシンでは、このように回転リールが回転している時に順次変動する図柄（変動図柄）の変動態様や停止図柄を遊技者に明確に視認させたり、遊技の興趣を向上させることができるように、回転リールの図柄を裏側から照明手段で照らしている。遊技者は、スロットマシンの前扉に設けられている表示窓部を介して回転リールの停止図柄等を視認することができるように構成されている。例えば、特許文献１に記載されている遊技機では、回転リールの内側から光を照射することで図柄を明るく見せる照明手段を有するリール装置を備えている。
【先行技術文献】
【特許文献】
【０００４】
【特許文献１】特開２００９−８２３８２号公報
【発明の概要】
【発明が解決しようとする課題】
【０００５】
特許文献１に記載されている遊技機のように、従来のスロットマシンでは、停止図柄として一つの回転リールあたり３個の図柄を遊技者が視認できるように構成されており、照明手段も３個の図柄のみに対して光を照射するように配置されている。これに対して、スロットマシンの表示窓部は、３個の図柄だけではなく、その周囲に配置されている複数個の図柄も遊技者が視認できる大きさに形成されている。そのため、遊技者が遊技を行っている場合において例えば回転リールが停止している時は、一つの回転リールあたり３個の図柄のみに光が照射されて明確に図柄を視認でき、それ以外の図柄は視認することが困難な構成になっていた。
【０００６】
スロットマシンでは、特定の図柄を有効ライン上に停止させるために、好適なタイミングでストップボタンを操作する目押しと呼ばれる操作が行われることもある。しかし、従来のスロットマシンでは、遊技者は停止する直前でしか図柄を視認することができなかったため、目押しをすることが難しかった。
【０００７】
本発明は、上記した問題点に鑑みてなされたものであり、回転リールの図柄を視認しやすくし、目押ししやすい遊技機を提供することを目的とする。
【課題を解決するための手段】
【０００８】
本発明は、
（１）複数の図柄を有するリールテープが設けられるリール本体と、前記リール本体を回転駆動する駆動手段と、前記図柄を前記リールテープの裏側から光を照射する照明手段とを有するリールユニットとを備えた遊技機であって、前記照明手段は、少なくとも、複数の発光体が上下に並んで配置されており光を照射する第１光源及び第２光源からなる発光部と、枠状に形成されるとともに第１側板部及び第２側板部を有する発光ガイド部と、前記第１光源から照射される光を反射するように前記発光ガイド部に形成され、前記発光部の上方に延出形成された第１反射部材と、前記第１反射部材の下方であって前記第１反射部材とは所定間隔をあけて形成されており、前記発光ガイド部において前記第１反射部材よりも長く延出形成された第２反射部材と、前記第２反射部材の下方であって前記第２反射部材とは所定間隔をあけて形成されており、前記発光ガイド部において前記第１反射部材よりも長く延出形成された第３反射部材と、前記第１反射部材と前記第２反射部材との間に前記第１光源が配置される第１照射室と、前記第２反射部材と前記第３反射部材との間に前記第２光源が配置される第２照射室と、前記第１照射室の第１側板部及び第２側板部よりも延出形成された第２反射部材で反射された光の一部を前記第１側板部及び前記第２側板部から漏光する第１照射室漏光部と、前記第２照射室の前記第１側板部及び前記第２側板部よりも延出形成された前記第２反射部材及び前記第３反射部材で反射された光の一部を前記第１側板部及び前記第２側板部から漏光する第２照射室漏光部と、前記第１光源からの光と、前記第１光源から照射される光のうち前記第２反射部材で反射された光を前記照明手段の上方に向けて漏光する上方漏光部とを備え、前記第２照射室漏光部よりも前記第１照射室漏光部の方が大きくなるように形成されていることを特徴とする遊技機、
（２）複数の図柄を有するリールテープが設けられるリール本体と、前記リール本体を回転駆動する駆動手段と、前記図柄を前記リールテープの裏側から光を照射する照明手段とを有するリールユニットとを備えた遊技機であって、前記リールユニットは、前記駆動手段と接続可能に接続された内リングと、前記リールテープが貼り付けられている外リングと、前記内リング及び前記外リングを接続するスポークとを有し、前記スポークには、前記照明手段から照射された光が通過する光通過部が形成されており、前記照明手段は、少なくとも、複数の発光体が上下に並んで配置されており光を照射する第１光源及び第２光源からなる発光部と、枠状に形成されるとともに第１側板部及び第２側板部を有する発光ガイド部と、前記第１光源から照射される光を反射するように前記発光ガイド部に形成され、前記発光部の上方に延出形成された第１反射部材と、前記第１反射部材の下方であって前記第１反射部材とは所定間隔をあけて形成されており、前記発光ガイド部において前記第１反射部材よりも長く延出形成された第２反射部材と、前記第２反射部材の下方であって前記第２反射部材とは所定間隔をあけて形成されており、前記発光ガイド部において前記第１反射部材よりも長く延出形成された第３反射部材と、前記第１反射部材と前記第２反射部材との間に前記第１光源が配置される第１照射室と、前記第２反射部材と前記第３反射部材との間に前記第２光源が配置される第２照射室と、前記第２照射室の前記第１側板部及び前記第２側板部よりも延出形成された前記第２反射部材及び前記第３反射部材で反射された光の一部を前記第１側板部及び前記第２側板部から漏光する第２照射室漏光部と、前記第１光源からの光と、前記第１光源から照射される光のうち前記第２反射部材で反射された光を前記照明手段の上方に向けて漏光する上方漏光部とを備えたことを特徴とする遊技機を要旨とする。
【発明の効果】
【０００９】
本発明によれば、照明手段が光を照射する複数の光源からなる発光部と、光源から照射される光を反射するように形成され、前記発光部の上方に延出形成された第１反射部と、互いに隣接する前記光源の間に形成され、第１反射部よりも長く延出形成された第２反射部と、第１反射部の先端と前記リールテープの裏面との間に形成される漏光部とを備えたので、漏光部を通じて光源から照射された光を照明手段の外部に漏光させることができる。したがって、遊技者は、有効ラインが設定され得る箇所以外の箇所に対しても光を照射することができ、図柄を明るく照らすことが可能になる。これにより、遊技者が目押しをしやすくなり、遊技の興趣をより向上させることが可能になる。
【図面の簡単な説明】
【００１０】
【図１】本発明の遊技機に係るスロットマシンの正面図である。
【図２】リールユニットの外観斜視図である。
【図３】第１回転リールの分解斜視図である。
【図４】駆動リングの外観斜視図である。
【図５】従動リングの外観斜視図である。
【図６】照明部の斜視図である。
【図７】照明部の断面図である。
【図８】ガイド部材の外観斜視図である。
【図９】リールユニットの断面図である。
【発明を実施するための形態】
【００１１】
本発明に係る遊技機の実施の形態について、図面を用いて説明する。本実施の形態では、本発明に係る遊技機の一例として、スロットマシンに適用した例について説明する。なお、本明細書において、遊技機（スロットマシン）に関して「前側」、「後側」は、遊技機を正面から見た場合（図１参照）のそれぞれ正面側（前面側）、裏面側（後面側）を示す。また、遊技機に関して、「上下左右」とは、遊技機を正面から見た場合における上側、下側、左側、右側を示すものとする。また、本明細書においては、「後側」のことを「裏側」、「背面側」と言うことがあり、前後方向のことを「奥行方向」と言うことがある。
【００１２】
図１に示すように、スロットマシン１は、筐体２及び前扉３を備え、筐体２の開口を前扉３が開閉することができるように構成されている。筐体２は、スロットマシン１の本体を構成するもので、前面が開口形成されている。また、筐体２は、内部に図示しない収容空間が形成されており、この収容空間内に後述するリールユニット２１や図示しないホッパー装置等のような、遊技の進行に際して必要な各種遊技機器が配置されている。
【００１３】
前扉３は、枠体４、上部ユニット５及び下部ユニット６を備えている。枠体４は、前扉３のベースとなる部材であり、例えばアルミニウム又は鉄鋼等の金属材料からなる断面略コ字形又は断面略Ｌ字形の枠材を組み立てる等して形成されている。この枠体４は、前扉３の後側に位置しており、筐体２に対して前扉３を閉じた時に、後端面が筐体２と対向する位置に配置されている。なお、この枠体４を構成する材質及び形状は、上記したものには限定されない。
【００１４】
上部ユニット５は、枠体４の前側上部に取り付けられるように構成されている。この上部ユニット５は、各種装飾部材が周囲を囲むように取り付けられており、この各種装飾部材に囲まれている中央部に第１表示窓部７や第２表示窓部８が形成されている。第１表示窓部７は、後述する第１〜第３回転リール２３〜２５に設けられている第１〜第３リールテープ３５に描かれた各種図柄を遊技者が視認することができるようにするためのものである。また、第２表示窓部８は、図示しない液晶表示装置において表示される各種アニメーション等のような絵柄や映像等を遊技者が視認することができるようにするためのものである。
【００１５】
下部ユニット６は、枠体４の前側下部に取り付けられるように構成されている。この下部ユニット６は、枠体４に取り付けられた時に、上部ユニット５の下方に位置するように配置される。図１に示すように、下部ユニット６には、遊技に供されるメダルの貯留又は遊技開始時に該メダルを投入する投入口９、貯留されているメダルを１枚掛けて遊技を行うための１ベットボタン１０、貯留されているメダルを３枚掛けて遊技を行うためのＭＡＸベットボタン１１、遊技開始時に操作するスタートレバー１２、後述するリールユニット２１に組み込まれている第１〜第３回転リール２３〜２５を停止させる際に押圧操作される第１〜第３ストップボタン１３〜１５が所定方向に並んで配置されている停止ボタンユニット１６、払い出されたメダルを受けるための受け皿１７及びスロットマシン１の機種名等を装飾した装飾パネルを取り付けるためのパネル取付部１８が設けられている。
【００１６】
図２に示すように、リールユニット２１は、リールユニット枠体２２と第１〜第３回転リール２３〜２５とを備えている。リールユニット枠体２２は、外観は筐体２の収容空間内に収容することができる大きさに形成されており、かつ収容空間内に収容された時に、筐体２へネジ止め等により取付固定するための取付固定部２６が形成されている。また、リールユニット枠体２２には、第１回転リール収容部２７、第２回転リール２８及び第３回転リール収容部２９が形成されており、これら第１〜第３回転リール収容部２７〜２９内のそれぞれに第１〜第３回転リール２３〜２５が収容されるようにも形成されている。
【００１７】
第１〜第３回転リール２３〜２５は、リールユニット枠体２２を正面から見た場合、即ちスロットマシン１を正面から見た場合に、左から順に第１回転リール２３、第２回転リール２４及び第３回転リール２５と並んで配置されている。なお、説明の便宜上、図２においては、第１〜第３回転リール２３〜２５に付けられているリールテープ３５の記載は省略している。
【００１８】
次に、第１〜第３回転リール２３〜２５の構成を図３〜図９に基づいて説明する。なお、第１〜第３回転リール２３〜２５は、いずれも構成が同じであるので、ここでは第１回転リール２３の構成のみを説明し、第２回転リール２４及び第３回転リール２５の構成の説明は省略する。
【００１９】
第１回転リール２３は、第１回転リール本体３１及びガイド部材３２を備えている。第１回転リール本体３１は、駆動リング３３、第２外リングとしての従動リング３４、リールテープ３５、駆動手段としての駆動モータ３６及び照明手段としての照明部３７を備えている。第１回転リール２３は、リールテープ３５の奥側に照明部３７を配置して、該リールテープ３５の裏側から発光部６１が光を照射するようになっている。また、この照明部３７は、駆動リング３３及び従動リング３４よりも径方向内側に設けられている。また、詳細は後述するが、ガイド部材３２は、照明部３７が設けられている箇所における幅方向の大きさが、それ以外の箇所における幅方向の大きさよりも小さくなるように形成されている。
【００２０】
駆動リング３３は、第１外リング４１、内リング４２及びスポーク部４３を備えている。図４に示すように、第１外リング４１は、第１リールテープ３５の一端部としての左端部が巻回される第１巻回部４４が形成されており、この第１巻回部４４の径方向外側には第１フランジ部４５が形成されている。この第１フランジ部４５は、第１巻回部４４の周囲を周回するように形成されている。また、第１巻回部４４の径方向内側にも、該第１巻回部４４の周囲を周回するように補強用のリブ４６が形成されている。なお、図４においては、図３とは反対側から、即ち、第１回転リール本体３１を組み立てた際に、従動リング３４と対向する側の面を表すように描いている。
【００２１】
内リング４２は、第１外リング４１の径方向内方に配置されており、第１回転リール２３を回転駆動する駆動手段としての駆動モータ３６と接続可能に形成されている。即ち、内リング４２には、駆動モータ３６と接続するためのハブ部４７を有しており、このハブ部４７において駆動モータ３６と接続することで内リング４２が駆動モータ３６からの駆動力を受けるようになっている。ハブ部４７は、駆動モータ３６の駆動軸５６が挿入可能に形成された挿入孔４８が開口形成しており、この挿入孔４８に駆動軸５６が挿入して固定されることで、駆動モータ３６の回転力が伝達されるようになっている。また、内リング４２は、第１回転リール２３の中側に向けて突出するように形成されている。
【００２２】
スポーク部４３は、内リング４２と第１外リング４１との間、言い換えれば内リング４２のハブ部４７と第１外リング４１との間に形成されている。このスポーク部４３は、駆動モータ３６の駆動力を内リング４２から第１外リング４１に伝達するためのものである。本実施の形態では、駆動リング３３、即ち第１外リング４１、内リング４２及びスポーク部４３は一体的に形成されているが、これらはそれぞれ別体で形成したものを相互に接続する等して形成してもよい。
【００２３】
スポーク部４３には、該スポーク部４３が第１外リング４１と接続する箇所に光通過部４９が形成されている。この光通過部４９は、照明部３７から照射される光の通過を許容するためのものである。言い換えれば、この光通過部４９は、照明部３７から照射される光をこの部分で遮らないようにし、影を作らないようにするためのものである。また、図４及び図９に示すように、スポーク部４３は、照明部３７の幅方向において、第１外リング４１よりも照明部３７に近い位置、即ち第１外リング４１の中側に配置されている。また、光通過部４９は、内リング４２から第１外リング４１に向けて、照明部３７に近い一端の側から第１外リング４１に近い他端の側に向けて傾斜するように形成されている。即ち、この光通過部４９は、第１回転リール２３の径方向外方へ行くにつれて、幅方向内側から外側に向けて広がる方向に傾斜するように形成されている。なお、この光通過部４９は、図４及び図９に示すように、照明部３７を構成する後述する側板部の内面に沿って第１リールテープ３５に近い側に向けて延長した延長線よりも外側に位置するように形成されている。このように光通過部４９を形成することによって、照明部３７から照射される光を確実に透光させることが可能になる。
【００２４】
図４に示すように、第１フランジ部４５及び補強用のリブ４６は、第１巻回部４４の左端側、即ち、第１回転リール２３を正面視した場合に、第１リールテープ３５が位置しない端部に形成されている。また、スポーク部４３は、第１巻回部４４の左端側から所定間隔だけ右側方向に向けて屈曲し、さらに内リング４２に向けて屈曲するように形成されている。そして、このスポーク部４３の左端面側には、補強用の突起部４３ａが形成されている。
【００２５】
図５に示すように、従動リング３４は、第１回転リール２３の第１外リング４１と一対となって外リングを構成する部材である。この従動リング３４は、リールテープ３５の他端部としての右端部が巻回される第２巻回部５１、第２巻回部５１に対して径方向外側に向けて延出形成される第２フランジ部５２及び第２巻回部５１に対して径方向内側に向けて延出形成され、ガイド部材３２によりガイドされる被ガイド部５３が形成されている。これら第２フランジ部５２及び被ガイド部５３は、それぞれ第２巻回部５１と直交するように形成されている。この従動リング３４は、リールテープ３５を介して駆動リング３３と接続されている。即ち、駆動モータ３６の動力は駆動リング３３に伝わり、その後駆動リング３３からリールテープ３５を介して従動リング３４に伝わるように構成されている。
【００２６】
被ガイド部５３は、駆動モータ３６の駆動により第１回転リール２３が回転する際、ガイド部材３２によって第１回転リール２３が回転する位置をガイドされるようにするためのものである。この被ガイド部５３は、少なくとも、従動リング３４の径方向内側に向けて延出形成された内径側の先端面に被ガイド面５４を有している。被ガイド面５４は、ガイド部材３２に形成されている後述するガイド面９１と対向するように形成されており、第１回転リール２３の回転時に該第１回転リール２３の回転にブレが生じると、第１回転リール２３が回転しながら被ガイド面５４がガイド面９１に当接することで回転をガイドするようになっている。従動リング３４は、その幅方向の大きさがガイド部材３２の幅方向の大きさよりも小さく形成されていることが好ましい。従動リング３４をこのように形成することで、被ガイド面５４の全体がガイド面９１と当接するので、第１回転リール２３を回転させている時に生じる該第１回転リール２３のブレなどをより確実にガイドすることができ、第１回転リール２３におけるリールテープ３５に描かれた図柄の視認性を向上させることができると共に、第１回転リール２３が回転する際の摩耗等を軽減することができ、第１回転リール２３自体の耐久性も大きく向上させることができる。なお、本実施の形態では、従動リング３４の径方向内側に向けて延出形成された内径側の先端面に被ガイド面５４を形成したが、これ以外の箇所に被ガイド面を設けてもよい。例えば、従動リング３４の径方向内側に向けて延出形成された内径側の延出面としての外側面に被ガイド面５４ａを設けて、被ガイド面５４ａを対向するガイド面９１ａに当接させることで第１回転リール２３における回転を確実にガイドしてもよい。また内径側の先端面に被ガイド面５４を形成し、内径側の延出面にも被ガイド面５４ａを形成してもよい。また、これら以外の場所に被ガイド面を形成してもよい。
【００２７】
リールテープ３５は、長手方向の一端と他端とを接続して輪状に形成されている部材であり、表面に複数の図柄が所定個数だけ描かれている。また、このリールテープ３５は一端部が第１巻回部４４に巻回され、他端部が第２巻回部５１に巻回されるようになっている。なお、このリールテープ３５は、従来から公知のものを任意に選択して用いてもよい。
【００２８】
駆動モータ３６は、駆動部５５及び駆動軸５６を備えており、駆動軸５６がハブ部４７の挿入孔４８に挿入固定されることにより駆動リング３３に取付固定されている。なお、この駆動モータ３６は、駆動リング３３、リールテープ３５及び従動リング３４を回転させるための駆動力を付与することができればよく、従来から公知のものを任意に選択して用いてよい。
【００２９】
照明部３７は、第１回転リール２３において、駆動リング３３と従動リング３４との間に配置されている。即ち、この照明部３７は、第１回転リール２３の内部に設けられており、駆動リング３３と従動リング３４との間に巻回されているリールテープ３５に対して内側から光を照射することができるように構成されている。
【００３０】
図６及び図７に示すように、照明部３７は、発光部６１及び発光ガイド部６２を備えている。発光部６１は、光を照射する複数の光源、即ち第１光源６３、第２光源６４及び第３光源６５を備えており、これら第１光源６３、第２光源６４及び第３光源６５が発光ガイド部６２の後側に配置され、発光ガイド部６２の後側から前側に向けて光を照射することができるように構成されている。これら第１光源６３、第２光源６４及び第３光源６５は、少なくとも複数の発光体６６〜６８が上下に並んで配置されている。発光体６６〜６８としては、例えばＬＥＤのような従来から公知のものを任意に選択して用いてよい。
【００３１】
これら第１光源６３、第２光源６４及び第３光源６５は、いずれも左右方向に向けて直線状に並べた発光体６６〜６８を上下２列に配置させて構成されている。また、第１光源６３、第２光源６４及び第３光源６５を構成するこれら発光体６６〜６８は、それぞれ基板６９に接続されている。なお、これら第１光源６３、第２光源６４及び第３光源６５は、発光体を上下２列に配置させる際の間隔が異なっている。即ち、第１光源６３及び第３光源６５は、上側に位置する発光体の列と下側に位置する発光体の列との間隔がＨ１であるのに対し、第２光源６４は、上側に位置する発光体の列と下側に位置する発光体の列との間隔はＨ２であり、それぞれの間隔が異なっている。言い換えれば、第２光源６４を構成する上下２列に配置される発光体の間隔は、第１光源６３及び第３光源６５を構成する上下２列に配置される発光体の間隔よりも広い。このように、第２光源６４の上側に位置する発光体の列と下側に位置する発光体の列との間隔Ｈ２が第１光源６３及び第３光源６５の上側に位置する発光体の列と下側に位置する発光体の列との間隔Ｈ１よりも広くすることにより、第２光源６４の発光体から照射される光によって照らされるリールテープの図柄を全体的に均等に照射することができる。また、第１光源６３及び第３光源６５の上側に位置する発光体の列と下側に位置する発光体の列との間隔Ｈ１を第２光源６４の上側に位置する発光体の列と下側に位置する発光体の列との間隔Ｈ２よりも狭くすることで、第１光源６３又は第３光源６５が照射する光を全体的に強くし、リールテープ３５の図柄をより明るく照らすことも可能になる。
【００３２】
発光ガイド部６２は、側板部としての第１側板部７０及び第２側板部７１を有する枠状に形成されている。また、発光ガイド部６２は、光源から照射される光を反射して、第１側板部７０及び第２側板部７１と交わる方向に形成された反射部を有している。第１側板部７０及び第２側板部７１は、光源に近い一方側からリールテープ３５の裏面に近い他方側に向けて、幅方向の間隔が広くなるように形成されている。また、発光ガイド部６２は、後面が開口しており、この開口の上端部、即ち第１反射部材７２には、開口部８６が形成されている。この開口部８６は、第１反射部材７２の基端側に形成されており、該第１反射部材７２の基端側から先端側に向けて所定長さだけ切り欠くように形成され、さらにその切欠きの中から基端側に向けて爪状の部材が形成されている。開口部８６は、この爪状の部材と切欠きとの間に隙間が形成されており、この隙間から第１光源６３からの光が漏光するように構成されている。この開口部８６から漏光させることにより、第１回転リール本体３１のリールテープ３５に描かれている図柄をより上部から照らすことができ、スロットマシン１における遊技の興趣をさらに向上させることができる。
【００３３】
反射部は、光源に近い一方側の端部と反対側に位置するリールテープ３５に近い他方側の端部が、第１側板部７０及び第２側板部７１における他方側の端部よりもリールテープ３５に近い位置に形成されている。即ち、反射部は、第１側板部７０及び第２側板部７１よりも前側に延出するように形成されており、その端部（他方側の端部即ち先端）は第１側板部７０及び第２側板部７１の他方側の端部よりもリールテープ３５の裏面に近接する位置に配置されるように形成されている。
【００３４】
この反射部は、第１反射部材７２を有する第１反射部７３と、第２反射部材７４及び第３反射部材７５を有する第２反射部７６とを少なくとも備えている。本実施の形態では、これら第１反射部７３及び第２反射部７６に加えて、第４反射部材７７を有する第３反射部７８も備えている。
【００３５】
第１反射部材７２は、第１光源６３から照射される光を反射させるように形成され、この第１光源６３の発光部６１の上方に位置し、発光ガイド部６２の基端側から先端側に向けて延出するように形成されている。この時、第１反射部材７２は、第１光源６３の発光部６１に近接する照明部３７の基端側から先端側へ行くに従い、第２反射部材７４との間隔が大きくなるようにも形成されている。また、第１反射部材７２は、発光ガイド部６２からの延出長さは、第２反射部材７４の延出長さよりも短くなるように形成されている。そして、第１反射部材７２の先端からリールテープ３５の裏面との間に空間が形成されており、この空間は、第１光源６３の発光部６１からの光と、該第１光源６３の発光部６１から照射される光のうち第２反射部材７４で反射された光を漏光する第４漏光部８４が形成されている。この第４漏光部８４を形成することによって、リールユニット２１の上部又は上方まで明るくすることができ、遊技者の興趣を向上させる演出を行うことができる。第１反射部材７２は、第１光源６３が配置されている基端から先端へ行くに従い第２反射部材７４との間隔が大きくなるように形成されており、該第１光源６３からの光を上方向に向けて照射することができるようになっている。これにより、リールテープ３５に描かれている図柄を上側から照射することができ、より図柄の視認性を向上して遊技の興趣を向上させることができる。
【００３６】
第２反射部材７４は、第１反射部材７２とは所定間隔をあけて、該第１反射部材７２の下方であって、第１光源６３の発光部６１と第２光源６４の発光部６１との間に位置し、発光ガイド部６２の基端側から先端側に向けて延出するように形成されている。この第２反射部材７４は、第１反射部材７２よりも長く、かつ第２反射部材７４の先端がリールテープ３５の裏面と近接する位置まで延出形成されており、第１光源６３の発光体６６から照射される光が第２反射部材７４よりも下方に漏れないようにし、該第２反射部材７４で反射された光の一部が後述する第１漏光部７９から漏光されるように構成されている。また、第２反射部材７４は、先端側の端部が第１側板部７０及び第２側板部７１よりも延出形成されている。
【００３７】
第３反射部材７５は、第２反射部材７４とは所定間隔をあけて、該第２反射部材７４の下方であって第２光源６４の発光部６１と第３光源６５の発光部６１との間に位置し、発光ガイド部６２の基端側から先端側に向けて延出するように形成されている。この第３反射部材７５は、第１反射部材７２よりも長く延出形成されている。この第３反射部材７５の延出長さは、第２反射部材７４と同じである。この時、第３反射部材７５は、第２光源６４の発光部６１に近接する照明部３７の基端側から先端側へ行っても、これら第２反射部材７４と第３反射部材７５との間隔は同一となるように、言い換えれば第２反射部材７４と第３反射部材７５とが平行になるように形成されており、第２光源６４の発光体６７から照射された光が第２反射部材７４の上方及び第３反射部材７５の下方に漏れないようにし、リールテープ３５の図柄を照らすと共に後述する第２漏光部８０から漏光させるように構成している。また、第２反射部材７４と第３反射部材７５とは、第１側板部７０及び第２側板部７１の先端部よりも延出形成されており、この延出形成されている箇所には、第２光源６４の発光体６７から照射される光を漏光させるための漏光部としての第２漏光部８０が形成されている。
【００３８】
第４反射部材７７は、第３光源６５から照射される光を反射させるように形成され、この第３光源６５の発光部６１の下方に位置し、発光ガイド部６２の基端側から先端側に向けて延出するように形成されている。この第４反射部材７７は、第１反射部材７２と略同じ長さ分だけ延出し、その延出長さは、第２反射部材７４及び第３反射部材７５よりも短くなるように形成されている。
【００３９】
また、第４反射部材７７は、第３光源６５の発光部６１に近接する照明部３７の基端側から先端側へ行くに従い、第３反射部材７５とは所定間隔をあけて、第３反射部材７５との間隔が大きくなるようにも形成されている。そして、第４反射部材７７の先端とリールテープ３５の裏面との間には、第３光源６５の発光体６８から照射される光を発光ガイド部６２から漏光させるための漏光部としての第３漏光部８１が形成されている。この時、第４反射部材７７は、第３光源６５の発光体６８に近接する照明部３７の基端側から先端側へ行くに従い、第３反射部材７５との間隔が大きくなるようにも形成されている。
【００４０】
第４反射部材７７は、発光ガイド部６２からの延出長さが第３反射部材７５の延出長さよりも短くなるように形成されている。そして、第４反射部材７７の先端からリールテープ３５の裏面との間に空間が形成されており、この空間は、第３光源６５の発光体６８からの光と、該第３光源６５の発光体６８から照射される光のうち第３反射部材７５で反射された光を漏光する第５漏光部８５が形成されている。この第５漏光部８５を形成することによって、リールユニット２１の下部又は下方まで明るくすることができ、遊技者の興趣を向上させる演出を行うことができる。
【００４１】
この発光ガイド部６２は、第１照射室８２、第２照射室８３及び第３照射室８４を備えている。第１照射室８２は、第１反射部材７２と第２反射部材７４とが所定の間隔をあけて配置されており、これら第１反射部材７２と第２反射部材７４との間に第１光源６３が配置されるように形成されている。即ち、この第１照射室８２は、第１反射部材７２、第２反射部材７４、第１側板部７０及び第２側板部７１によって囲まれた空間であり、その後方に第１光源６３が配置されている。第２照射室８３は、第２反射部材７４と第３反射部材７５とが所定の間隔をあけて配置されており、これら第２反射部材７４と第３反射部材７５との間に第２光源６４が配置されるように形成されている。即ち、この第２照射室８３は、第２反射部材７４、第３反射部材７５、第１側板部７０及び第２側板部７１によって囲まれた空間であり、その後方に第２光源６４が配置されている。さらに、第３照射室８４は、第３反射部材７５と第４反射部材７７との間に所定の間隔をあけて配置されており、これら第３反射部材７５と第４反射部材７７との間に第３光源６５が配置されるように形成されている。即ち、この第３照射室８４は、第３反射部材７５、第４反射部材７７、第１側板部７０及び第２側板部７１によって囲まれた空間であり、その後方に第３光源６５が配置されている。
【００４２】
ここで、一対の側板部としての第１側板部７０及び第２側板部７１は、第１照射室８２、第２照射室８３及び第３照射室８４の後側に位置する一端側の端部は直線状に形成されており、これら第１照射室８２、第２照射室８３及び第３照射室８４の前側に位置する他方側の端部は連続した曲線を描くように形成されている。また、これら第１側板部７０及び第２側板部７１は、第１照射室８２における他方側の端部と発光ガイド部６２の前側に位置するリールテープ３５の裏面との間隔Ｌ１が、第２照射室８３における他方側の端部とリールテープ３５の裏面との間隔Ｌ２よりも狭くなるように形成されており、リールテープ３５に対して光を全体的に照射するようになっている。即ち、本実施の形態では、第１照射室８２における間隔Ｌ１が間隔Ｌ２よりも狭くなるように配置されているので、この部分ではリールテープ３５の図柄の中心部分をより明るく照らすことができ、第２照射室８３における間隔Ｌ２が間隔Ｌ１よりも広くなるように配置されているので、この部分では、リールテープ３５の図柄の縁部分をより明るく照らすことができ、全体的にリールテープ３５に対して光を照射することができる。また、これら第１側板部７０及び第２側板部７１は、第３照射室８４における他方側の端部とリールテープ３５の裏面との間隔が、第２照射室８３における他方側の端部とリールテープ３５の裏面との間隔よりも狭くなるように形成されている。なお、第１照射室８２における他方側の端部とリールテープ３５の裏面との間隔と第３照射室８４における他方側の端部とリールテープ３５の裏面との間隔は、同じであってもよいし、いずれか一方の間隔が他方の間隔と異なっていてもよい。
【００４３】
図８に示すように、ガイド部材３２は、第１回転リール２３の回転をガイドするためのもので、従動リング３４に形成されている被ガイド部５３において第１回転リール２３の回転をガイドすることが出来る位置に配置されている。このガイド部材３２は、第１回転リール２３の回転をガイドするためのガイド面９１を有しており、互いに隣接する回転リールと回転リールとの間、即ち第１回転リール２３と第２回転リール２４の間や、第２回転リール２４と第３回転リール２５との間において、ガイド面９１がこれら第１回転リール２３、第２回転リール２４、第３回転リール２５に形成されている被ガイド面９１と対向する位置に配置されている。また、ガイド部材３２は、このガイド面９１が被ガイド面９１と対向するように、従動リング３４よりも径方向内側に配置されており、第１回転リール２３を正面視した場合の左右方向右側に位置し、従動リング３４の右側から該従動リング３４の径方向内側に位置するように形成されている。なお、本実施の形態におけるガイド面９１は、被ガイド面９１と対向する位置に設けられているので、従動リング３４の被ガイド部５３の先端面が被ガイド面９１として形成されている場合には、その対向する面がガイド面９１となる。また、ガイド部材５３は、照明部３７が設けられている箇所における幅方向の大きさが、それ以外の箇所における幅方向の大きさよりも小さく形成されていることが好ましい。ガイド部材５３をこのように形成することで、照明部３７から発光する光をガイド部材５３で遮ることなく、リールテープ３５の図柄を照明部３７からの光によって確実に照射することができ、図柄の視認性をより向上させることが可能になる。また、上記したように、従動リング３４の径方向内側に向けて延出形成された内径側の延出面としての外側面に被ガイド面５４ａを設けた場合には、被ガイド面５４ａを対向するガイド面９１ａをガイド部材３２に形成し、該ガイド面９１ａに当接させることで第１回転リール２３における回転を確実にガイドするように構成してもよい。また内径側の先端面に被ガイド面５４を形成し、内径側の延出面にも被ガイド面５４ａを形成した場合には、被ガイド面５４に対してはガイド面９１を形成し、被ガイド面５４ａに対してはガイド面９１ａを形成してもよい。 
【００４４】
次に、本発明に係るスロットマシン１の作用効果について説明する。まず、照明部３７の作用効果について説明する。本実施の形態に係るスロットマシン１では、照明部３７を発光部６１及び発光ガイド部６２より構成しており、このうち発光ガイド部６２は第１反射部材７２及び第２反射部材７４を有し、第２反射部材７４は第１反射部材７２よりも長く延出形成され、さらに第１反射部材７２とリールテープ３５の裏面との間には漏光部を備えている。そのため、本実施の形態に係るスロットマシン１によれば、漏光部を通じて第１光源６３から照射された照明部３７の外部、具体的には発光ガイド部６２の外部に漏光させることができる。したがって、本実施の形態に係るスロットマシン１によれば、遊技者は、照明部３７の前に配置されているリールテープ３５の図柄を見る場合に、有効ラインが設定され得る箇所以外の箇所、即ち有効ラインが設定され得る箇所よりも更に広範囲の領域に向けて光を照射することができる。したがって、遊技者は、遊技を行う場合に目押しをしやすくなり、より遊技の興趣を向上させることが可能になる。
【００４５】
また、本発明に係るスロットマシン１によれば、第１〜第３回転リール２３〜２５を構成する外リングのスポーク部４３に、照明部３７から照射される光の通過を許容する光通過部４９を形成しているので、遊技者がリールテープ３５の図柄を見ながら遊技を行う場合に、スポーク部４３が形成されている部分も透光することができるので、リールテープ３５のうち、スポーク部４３が形成されている部分のみが暗く視認されるというようなことを確実に防止し、リールテープ３５の視認性をさらにより向上させることが可能になる。したがって、遊技者は、このリールテープ３５の視認性向上させることによってより遊技を行いやすくなり、遊技の興趣が低下することを確実に防止することができると共に、飽きのこない遊技を提供することが可能になる。
【００４６】
さらに、本発明に係るスロットマシン１によれば、第１〜第３回転リール２３〜２５のそれぞれがガイド部材３２を有しており、第１〜第３回転リール本体の回転をガイドすることができる。したがって、第１〜第３回転リール本体が回転する時にガタツキが生じた場合であっても、被ガイド部５３がガイド部材３２と接触するので、該ガタツキを確実に防止し、又はガタツキを小さくすることができる。したがって、本発明に係るスロットマシン１によれば、遊技中における第１〜第３回転リール本体のガタツキによって図柄の視認性を低下させることがなく、遊技者に図柄の変動等を確実に視認させることができ、遊技者の興趣を低下させることをさらにより防止することも可能になる。
【００４７】
以上、本発明に係るスロットマシンについて詳細に説明したが、本明細書に記載したのは本発明に係るスロットマシンの例示に過ぎないものである。したがって、本発明に係るスロットマシンにおいては、本発明の趣旨を逸脱しない範囲において、適宜変更してもよい。
【符号の説明】
【００４８】
１  スロットマシン
２  筐体
２１  リールユニット
２２  リールユニット枠体
２３  第１回転リール
２４  第２回転リール
２５  第３回転リール
３１  第１回転リール本体
３２  ガイド部材
３３  駆動リング
３４  従動リング
３５  リールテープ
３６  駆動モータ
３７  照明部
４１  第１外リング
４２  内リング
４３  スポーク部
４４  第１巻回部
４５  第１フランジ部
４６  リブ
４７  ハブ部
４９  光通過部
５１  第２巻回部
５２  第２フランジ部
５３  被ガイド部
５４  被ガイド面
５５  駆動部
５６  駆動軸
６１  発光部
６２  発光ガイド部
６３  第１光源
６４  第２光源
６５  第３光源
６６  発光体
６７  発光体
６８  発光体
７０  第１側板部
７１  第２側板部
７２  第１反射部材
７３  第１反射部
７４  第２反射部材
７５  第３反射部材
７６  第２反射部
７７  第４反射部材
７８  第３反射部
７９  第１漏光部
８０  第２漏光部
８１  第３漏光部
８２  第１照射室
８３  第２照射室
８４  第３照射室
【図１】
0006444147.tif 000002
【図２】
0006444147.tif 000003
【図３】
0006444147.tif 000004
【図４】
0006444147.tif 000005
【図５】
0006444147.tif 000006
【図６】
0006444147.tif 000007
【図７】
0006444147.tif 000008
【図８】
0006444147.tif 000009
【図９】
0006444147.tif 000010